(57)【要約】【課題】ユーザの意図した動画撮影を行って高品質な動画像を得るとともに、動画撮影中の音声録音に余計な騒音を混じらせることなく、動画撮影中の発熱と消費電力を低減する。【解決手段】駆動制御部１２２は、判定部１２１が偏光フィルタ１１０が挿入位置に位置していると判定したときは、挿脱駆動機構１０４を介して偏光フィルタ１１０を離脱位置に離脱駆動させた後に、判定部１２１が偏光フィルタ１１０が離脱位置に位置していると判定したときは、偏光フィルタ１１０を離脱位置に位置させたまま、挿脱駆動機構１０４による偏光フィルタ１１０の挿入駆動を禁止して、ＣＣＤ１０３による動画撮像を実行する。あるいは駆動制御部１２２は、判定部１２１が偏光フィルタ１１０が挿入位置と離脱位置のいずれに位置していると判定したかを問わず、挿脱駆動機構１０４による偏光フィルタ１１０の挿脱駆動を禁止して、ＣＣＤ１０３による動画撮像を実行する。【選択図】図２
2014044344.tif 000002
【特許請求の範囲】
【請求項１】
撮影光学系を介して被写体の動画像を撮像する動画撮像部と、
前記撮影光学系の光路上で回転することで異なる撮影効果を与える回転光学要素と、
前記回転光学要素を、前記撮影光学系の光路上に位置する挿入位置と、前記撮影光学系の光路上から離脱した離脱位置との間で挿脱駆動する挿脱駆動機構と、
前記動画撮像部による動画撮像を実行するための入力操作を行う入力部と、
前記入力部の入力操作が行われた時点において、前記回転光学要素が挿入位置と離脱位置のいずれに位置しているかを判定する判定部と、
前記判定部の判定結果に基づいて、前記挿脱駆動機構と前記動画撮像部を制御する駆動制御部と、を備え、
前記駆動制御部は、前記判定部が前記回転光学要素が挿入位置に位置していると判定したときは、前記挿脱駆動機構を介して前記回転光学要素を離脱位置に離脱駆動させた後に、前記判定部が前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する態様、及び、前記判定部が前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する態様のいずれかの制御を行うことを特徴とする回転光学要素を有する動画撮影装置。
【請求項２】
請求項１記載の回転光学要素を有する動画撮影装置において、
前記動画撮像部による動画撮像の開始から終了に至るまで、前記回転光学要素の挿入位置における回転駆動が許容されている回転光学要素を有する動画撮影装置。
【請求項３】
請求項１記載の回転光学要素を有する動画撮影装置において、
前記動画撮像部による動画撮像の開始から終了に至るまで、前記回転光学要素の挿入位置における回転駆動が禁止されている回転光学要素を有する動画撮影装置。
【請求項４】
請求項１ないし３のいずれか１項記載の回転光学要素を有する動画撮影装置において、
前記挿脱駆動機構は、前記回転光学要素を挿入位置と離脱位置との間で挿脱駆動するための挿脱駆動モータと、この挿脱駆動モータに設けられたホールＩＣとを備えており、
前記判定部は、前記ホールＩＣの出力を読み取ることで、前記回転光学要素が挿入位置と離脱位置のいずれに位置しているかを判定する回転光学要素を有する動画撮影装置。
【請求項５】
撮影光学系を介して被写体の動画像を撮像する動画撮像部と、
前記撮影光学系の光路上で回転することで異なる撮影効果を与える回転光学要素と、
前記回転光学要素を、前記撮影光学系の光路上に位置する挿入位置と、前記撮影光学系の光路上から離脱した離脱位置との間で挿脱駆動する挿脱駆動機構と、
前記動画撮像部による動画撮像を実行するための入力操作を行う入力部と、
前記入力部の入力操作が行われた時点において、前記回転光学要素が挿入位置と離脱位置のいずれに位置しているかを判定する判定部と、
前記判定部の判定結果に基づいて、前記挿脱駆動機構と前記動画撮像部を制御する駆動制御部と、を備え、
前記駆動制御部は、前記判定部が前記回転光学要素が挿入位置に位置していると判定したときは、前記挿脱駆動機構を介して前記回転光学要素を離脱位置に離脱駆動させた後に、前記挿脱駆動機構による前記回転光学要素の挿入駆動を禁止して、前記動画撮像部による動画撮像を実行し、前記判定部が前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する、ことを特徴とする回転光学要素を有する動画撮影装置。
【請求項６】
撮影光学系を介して被写体の動画像を撮像する動画撮像部と、
前記撮影光学系の光路上で回転することで異なる撮影効果を与える回転光学要素と、
前記回転光学要素を、前記撮影光学系の光路上に位置する挿入位置と、前記撮影光学系の光路上から離脱した離脱位置との間で挿脱駆動する挿脱駆動機構と、
前記動画撮像部による動画撮像を実行するための入力操作を行う入力部と、
前記入力部の入力操作が行われた時点において、前記回転光学要素が挿入位置と離脱位置のいずれに位置しているかを判定する判定部と、
前記判定部の判定結果に基づいて、前記挿脱駆動機構と前記動画撮像部を制御する駆動制御部と、を備え、
前記駆動制御部は、前記判定部が前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する、ことを特徴とする回転光学要素を有する動画撮影装置。
【請求項７】
請求項１ないし６のいずれか１項記載の回転光学要素を有する動画撮影装置において、
前記回転光学要素は、前記撮影光学系を通過する光束の偏光状態を変化させる偏光フィルタからなる回転光学要素を有する動画撮影装置。
【請求項８】
撮影光学系を介して被写体の動画像を撮像する動画撮像部と、前記撮影光学系の光路上で回転することで異なる撮影効果を与える回転光学要素と、前記回転光学要素を、前記撮影光学系の光路上に位置する挿入位置と、前記撮影光学系の光路上から離脱した離脱位置との間で挿脱駆動する挿脱駆動機構と、前記動画撮像部による動画撮像を実行するための入力操作を行う入力部と、を備える回転光学要素を有する動画撮影装置において、
前記入力部の入力操作が行われた時点において、前記回転光学要素が挿入位置と離脱位置のいずれに位置しているかを判定するステップと、
前記判定ステップの判定結果に基づいて、前記挿脱駆動機構と前記動画撮像部を制御するステップと、を備え、
前記制御ステップでは、前記判定ステップにおいて前記回転光学要素が挿入位置に位置していると判定したときは、前記挿脱駆動機構を介して前記回転光学要素を離脱位置に離脱駆動させた後に、前記判定ステップにおいて前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する態様、及び、前記判定ステップにおいて前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する態様のいずれかの制御を行うことを特徴とする動画撮影方法。
【発明の詳細な説明】
【技術分野】
【０００１】
本発明は、例えば偏光フィルタなどの回転光学要素を有する動画撮影装置及びこれを用いた動画撮影方法に関する。
【背景技術】
【０００２】
従来、カメラボディに偏光フィルタ（回転光学要素）を内蔵した偏光フィルタ内蔵型のデジタルカメラやビデオカメラ（動画撮影装置）が知られている。偏光フィルタは、撮影光学系の光路上に位置する挿入位置と同光路上から離脱した離脱位置との間の挿脱駆動が可能である。例えば特許文献１には、偏光板ユニットを撮影光学系の光路上に位置する挿入位置と同光路上から離脱した離脱位置との間で挿脱駆動可能としたビデオカメラが開示されている。
【先行技術文献】
【特許文献】
【０００３】
【特許文献１】特開２０１１−１４５３４３号公報
【発明の概要】
【発明が解決しようとする課題】
【０００４】
しかしながら、本発明者等によれば、特許文献１のビデオカメラは、次のような技術課題を有している。
【０００５】
第１の技術課題は、動画撮影中にユーザの誤操作により偏光板ユニットが挿脱駆動されたときには、ユーザが意図しない動画撮影を行って動画像を台無しにしてしまい、動画撮影をやり直さざるを得ず、大変な手間が掛かることである。この場合、やり直しの動画撮影により所望の動画像が得られる保証はない。
【０００６】
第２の技術課題は、動画撮影中に偏光板ユニットが挿脱駆動されると、偏光板ユニットが撮影光学系の有効光束を遮ることでケラレが発生し、動画像の品質が劣化してしまうことである。
【０００７】
第３の技術課題は、動画撮影と同時に音声録音を行う際には、動画撮影中に偏光板ユニットが挿脱駆動されると、偏光板ユニットの挿脱駆動音が録音されてしまうことである。
【０００８】
第４の技術課題は、自動露出機能（ＡＥ機能）を用いて動画撮影を行う際には、動画撮影中に偏光板ユニットが挿脱駆動されると、最適な露出が変わるので、自動露出の安定期間が必要になり、自動露出が安定するまでは動画像がちらついて品質が劣化してしまうことである。
【０００９】
第５の技術課題は、動画撮影中に偏光板ユニットが挿脱駆動されると、動画撮影中の過度な発熱や消費電力の増大が問題となることである。
【００１０】
本発明は、以上の問題意識に基づいて完成されたものであり、ユーザの意図した動画撮影を行って高品質な動画像を得ることができ、動画撮影中の音声録音に余計な騒音が混じることがなく、動画撮影中の発熱と消費電力を低減することができる、回転光学要素を有する動画撮影装置及びこれを用いた動画撮影方法を得ることを目的とする。
【課題を解決するための手段】
【００１１】
本発明は、動画撮影中に回転光学要素の挿脱駆動を禁止すれば、上述した第１ないし第５の技術課題を一挙に解消できるとの着眼により完成されたものである。
【００１２】
本発明の回転光学要素を有する動画撮影装置は、第１の態様では、撮影光学系を介して被写体の動画像を撮像する動画撮像部と、前記撮影光学系の光路上で回転することで異なる撮影効果を与える回転光学要素と、前記回転光学要素を、前記撮影光学系の光路上に位置する挿入位置と、前記撮影光学系の光路上から離脱した離脱位置との間で挿脱駆動する挿脱駆動機構と、前記動画撮像部による動画撮像を実行するための入力操作を行う入力部と、前記入力部の入力操作が行われた時点において、前記回転光学要素が挿入位置と離脱位置のいずれに位置しているかを判定する判定部と、前記判定部の判定結果に基づいて、前記挿脱駆動機構と前記動画撮像部を制御する駆動制御部と、を備え、前記駆動制御部は、前記判定部が前記回転光学要素が挿入位置に位置していると判定したときは、前記挿脱駆動機構を介して前記回転光学要素を離脱位置に離脱駆動させた後に、前記判定部が前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する態様、及び、前記判定部が前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する態様のいずれかの制御を行うことを特徴としている。
【００１３】
前記動画撮像部による動画撮像の開始から終了に至るまで、前記回転光学要素の挿入位置における回転駆動を許容する態様と禁止する態様が可能である。
【００１４】
前記挿脱駆動機構は、前記回転光学要素を挿入位置と離脱位置との間で挿脱駆動するための挿脱駆動モータと、この挿脱駆動モータに設けられたホールＩＣとを備えており、前記判定部は、前記ホールＩＣの出力を読み取ることで、前記回転光学要素が挿入位置と離脱位置のいずれに位置しているかを判定することができる。
【００１５】
本発明の回転光学要素を有する動画撮影装置は、第２の態様では、撮影光学系を介して被写体の動画像を撮像する動画撮像部と、前記撮影光学系の光路上で回転することで異なる撮影効果を与える回転光学要素と、前記回転光学要素を、前記撮影光学系の光路上に位置する挿入位置と、前記撮影光学系の光路上から離脱した離脱位置との間で挿脱駆動する挿脱駆動機構と、前記動画撮像部による動画撮像を実行するための入力操作を行う入力部と、前記入力部の入力操作が行われた時点において、前記回転光学要素が挿入位置と離脱位置のいずれに位置しているかを判定する判定部と、前記判定部の判定結果に基づいて、前記挿脱駆動機構と前記動画撮像部を制御する駆動制御部と、を備え、前記駆動制御部は、前記判定部が前記回転光学要素が挿入位置に位置していると判定したときは、前記挿脱駆動機構を介して前記回転光学要素を離脱位置に離脱駆動させた後に、前記挿脱駆動機構による前記回転光学要素の挿入駆動を禁止して、前記動画撮像部による動画撮像を実行し、前記判定部が前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する、ことを特徴としている。
【００１６】
本発明の回転光学要素を有する動画撮影装置は、第３の態様では、撮影光学系を介して被写体の動画像を撮像する動画撮像部と、前記撮影光学系の光路上で回転することで異なる撮影効果を与える回転光学要素と、前記回転光学要素を、前記撮影光学系の光路上に位置する挿入位置と、前記撮影光学系の光路上から離脱した離脱位置との間で挿脱駆動する挿脱駆動機構と、前記動画撮像部による動画撮像を実行するための入力操作を行う入力部と、前記入力部の入力操作が行われた時点において、前記回転光学要素が挿入位置と離脱位置のいずれに位置しているかを判定する判定部と、前記判定部の判定結果に基づいて、前記挿脱駆動機構と前記動画撮像部を制御する駆動制御部と、を備え、前記駆動制御部は、前記判定部が前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する、ことを特徴としている。
【００１７】
前記回転光学要素は、前記撮影光学系を通過する光束の偏光状態を変化させる偏光フィルタから構成することができる。
【００１８】
本発明の動画撮影方法は、撮影光学系を介して被写体の動画像を撮像する動画撮像部と、前記撮影光学系の光路上で回転することで異なる撮影効果を与える回転光学要素と、前記回転光学要素を、前記撮影光学系の光路上に位置する挿入位置と、前記撮影光学系の光路上から離脱した離脱位置との間で挿脱駆動する挿脱駆動機構と、前記動画撮像部による動画撮像を実行するための入力操作を行う入力部と、を備える回転光学要素を有する動画撮影装置において、前記入力部の入力操作が行われた時点において、前記回転光学要素が挿入位置と離脱位置のいずれに位置しているかを判定するステップと、前記判定ステップの判定結果に基づいて、前記挿脱駆動機構と前記動画撮像部を制御するステップと、を備え、前記制御ステップでは、前記判定ステップにおいて前記回転光学要素が挿入位置に位置していると判定したときは、前記挿脱駆動機構を介して前記回転光学要素を離脱位置に離脱駆動させた後に、前記判定ステップにおいて前記回転光学要素が離脱位置に位置していると判定したときは、前記回転光学要素を離脱位置に位置させたまま、前記挿脱駆動機構による前記回転光学要素の挿入駆動を禁止して、前記動画撮像部による動画撮像を実行する態様、及び、前記判定ステップにおいて前記回転光学要素が挿入位置と離脱位置のいずれに位置していると判定したかを問わず、前記挿脱駆動機構による前記回転光学要素の挿脱駆動を禁止して、前記動画撮像部による動画撮像を実行する態様のいずれかの制御を行うことを特徴としている。
【発明の効果】
【００１９】
本発明によれば、ユーザの意図した動画撮影を行って高品質な動画像を得ることができ、動画撮影中の音声録音に余計な騒音が混じることがなく、動画撮影中の発熱と消費電力を低減することができる、回転光学要素を有する動画撮影装置及びこれを用いた動画撮影方法が得られる。
【図面の簡単な説明】
【００２０】
【図１】本発明によるデジタルカメラの構成を示すブロック図である。
【図２】本発明による動画撮影方法の第１実施形態を示すフローチャートである。
【図３】本発明による動画撮影方法の第２実施形態を示すフローチャートである。
【発明を実施するための形態】
【００２１】
図１は、本発明によるデジタルカメラ（動画撮影装置）１００のブロック図である。デジタルカメラ１００は、カメラボディ１００Ｂの内部の撮影光軸Ｚ上に位置させて、物体側から順に、固定レンズ（撮影光学系）１０１と、可動のフォーカシングレンズ（撮影光学系）１０２と、ＣＣＤ（動画撮像部）１０３とを備えている。固定レンズ１０１とフォーカシングレンズ１０２を介して入射した被写体光束は、ＣＣＤ１０３の撮像面１０３ａに結像して被写体像が撮像される。フォーカシングレンズ１０２は、フォーカシングモータを含むフォーカシングレンズ駆動部１０２ａにより駆動されて、フォーカシング時に撮影光軸Ｚ方向に移動する。
【００２２】
デジタルカメラ１００は、ＣＣＤ１０３の前方の固定レンズ１０１とフォーカシングレンズ１０２の間に、偏光フィルタ（回転光学要素）１１０を備えている。偏光フィルタ１１０は、挿脱駆動機構１０４によって、撮影光軸Ｚ（撮影光学系の光路）上に位置する挿入位置と、撮影光軸Ｚ（撮影光学系の光路）上から離脱した離脱位置との間で挿脱駆動される。挿脱駆動機構１０４は、偏光フィルタ１１０を保持したフィルタ枠（図示せず）を挿入位置と離脱位置との間で挿脱駆動するための挿脱駆動モータ（ステッピングモータ）１０４ａと、この挿脱駆動モータ１０４ａに設けられたホールＩＣ１０４ｂとを備えている。ホールＩＣ１０４ｂの出力は、挿脱駆動モータ１０４ａのロータの回転角度に応じて変動する。なお、挿脱駆動機構１０４の具体的なメカ構成は、例えば特開２００６−３３７６９４号公報、特開２００６−３３７６９５号公報、特開２００７−３９７０号公報、特開２００７−３９７１号公報、特開２００７−３３４８１号公報、特開２００７−２２５７１２号公報に開示されているように周知であるので、ここでは詳細な説明を省略する。
【００２３】
偏光フィルタ１１０は、その挿入位置において、偏光フィルタ駆動部１１１により駆動されて、撮影光軸Ｚ回りに回転自在である。図示していないが、偏光フィルタ駆動部１１１は、偏光フィルタ１１０を所定角度ずつステップ駆動するステッピングモータと、このステッピングモータを回転制御するモータドライバとを備えている。なお、偏光フィルタ駆動部１１１と挿脱駆動機構１０４の構成を一体化して偏光フィルタ駆動部１１１のステッピングモータと挿脱駆動機構１０４の挿脱駆動モータ１０４ａを共通化してもよい。
【００２４】
偏光フィルタ１１０は、自身の偏光方向（偏光格子の方向）に振動する光のみを透過させる機能を持つ直線偏光フィルタである。直線偏光フィルタは、その回転角度がθ°のときの偏光効果とその回転角度がθ＋１８０°のときの偏光効果とが同一となる偏光特性を有している。つまり、直線偏光フィルタの偏光効果が変化する１周期分の回転角度は１８０°である。偏光フィルタ１１０を撮影光軸Ｚ回りに回転させてその偏光方向（偏光格子の方向）を調整することで、ＣＣＤ１０３に入射する被写体光束の偏光状態を変化させて、被写体の反射を低減または除去することができる。
【００２５】
デジタルカメラ１００は、ＣＰＵ１２０と、Ａ／Ｄ変換器１０５と、信号処理回路１０６と、画像記録部１０７と、ＬＣＤモニタ１０８とを備えている。ＣＰＵ１２０は、デジタルカメラ１００の全体の機能を制御する。Ａ／Ｄ変換器１０５は、ＣＣＤ１０３の撮像面１０３ａに結像した被写体像をアナログ信号からデジタル信号に変換して信号処理回路１０６に送る。信号処理回路１０６は、Ａ／Ｄ変換器１０５から送られたデジタル信号に所定の画像処理を施して画像信号とする。この画像信号は、ＣＰＵ１２０を介して、動画像あるいは静止画像として、画像記録部１０７に記録され、ＬＣＤモニタ１０８に表示される。
【００２６】
デジタルカメラ１００は撮影モード設定部１３０を備えている。撮影モード設定部１３０は、デジタルカメラ１００の撮影モードを、静止画撮影モードと動画撮影モードのいずれかに設定することができる。さらに撮影モード設定部１３０は、デジタルカメラ１００の動画撮影モードを、「偏光フィルタ挿入禁止モード」と「偏光フィルタ挿脱禁止モード」のいずれかに設定することができる。「偏光フィルタ挿入禁止モード」は、動画撮影の開始から終了に至るまで、偏光フィルタ１１０を離脱位置に位置させてその挿入駆動を禁止するモード（偏光フィルタ１１０を使用した動画撮影を禁止するモード）である。「偏光フィルタ挿脱禁止モード」は、動画撮影の開始から終了に至るまで、偏光フィルタ１１０を挿入位置と離脱位置のいずれかに位置させてその挿脱駆動を禁止するモードである。なお、撮影モード設定部１３０を設ける態様には自由度があり、例えばカメラボディ１００Ｂに物理的な操作スイッチとして設けてもよいし、ＬＣＤモニタ１０８にタッチパネル式の操作スイッチとして設けてもよい。
【００２７】
デジタルカメラ１００はシャッターボタン（入力部）１４０を備えている。シャッターボタン１４０は、ＣＣＤ１０３による静止画撮像又は動画撮像を実行するための入力操作を行うボタンである。撮影モード設定部１３０により静止画撮影モードが設定されているときにシャッターボタン１４０が押されると、ＣＣＤ１０３による静止画撮像が行われる。撮影モード設定部１３０により動画撮影モードが設定されているときにシャッターボタン１４０が押されると、シャッターボタン１４０からＣＰＵ１２０に、ＣＣＤ１０３による動画撮像を開始するための指示信号が入力する。また、動画撮影中にシャッターボタン１４０が押されると、シャッターボタン１４０からＣＰＵ１２０に、ＣＣＤ１０３による動画撮像を終了するための指示信号が入力する。
【００２８】
デジタルカメラ１００は、偏光フィルタ１１０の操作スイッチとして、フィルタ挿脱スイッチ１５０とフィルタ回転スイッチ１６０とを備えている。フィルタ挿脱スイッチ１５０が押されると、フィルタ挿脱スイッチ１５０からＣＰＵ１２０に挿脱駆動指示信号が入力し、ＣＰＵ１２０は、挿脱駆動機構１０４を介して、偏光フィルタ１１０を挿入位置と離脱位置の間で挿脱駆動する。偏光フィルタ１１０が挿入位置に位置しているときにフィルタ回転スイッチ１６０が押されると、フィルタ回転スイッチ１６０からＣＰＵ１２０に回転駆動指示信号が入力し、ＣＰＵ１２０は、偏光フィルタ駆動部１１１を介して、偏光フィルタ１１０を回転駆動する。
【００２９】
デジタルカメラ１００は測光手段（輝度信号取得部）１７０を備えている。測光手段１７０は、ＣＣＤ１０３が撮像した被写体像（静止画像又は動画像）の輝度信号を取得してＣＰＵ１２０に出力する。
【００３０】
ＣＰＵ１２０は、本発明による動画撮影方法を実行するための構成要素として、判定部１２１と駆動制御部１２２とを備えている。
【００３１】
判定部１２１は、撮影モード設定部１３０により動画撮影モードが設定されているときにシャッターボタン１４０が押されて、シャッターボタン１４０からＣＣＤ１０３による動画撮像を開始するための指示信号が入力すると、シャッターボタン１４０が押された時点において、偏光フィルタ１１０が挿入位置と離脱位置のいずれに位置しているかを判定する。
【００３２】
判定部１２１は、次のようにして偏光フィルタ１１０が挿入位置と離脱位置のいずれに位置しているかを判定する。すなわち、偏光フィルタ１１０の挿入位置と離脱位置に対応する位置にフォトインタラプタからなる挿入検知センサと離脱検知センサを設け、偏光フィルタ１１０を保持するフィルタ枠にセンサ通過片（図示せず）を形成する。判定部１２１は、センサ通過片が挿入検知センサの発光部と受光部の間に進入して発光部から受光部への光の入射を遮ることで、偏光フィルタ１１０が挿入位置にあると判定し、センサ通過片が離脱検知センサの発光部と受光部の間に進入して発光部から受光部への光の入射を遮ることで、偏光フィルタ１１０が離脱位置にあると判定する。
【００３３】
あるいは判定部１２１は、偏光フィルタ１１０を回転駆動する偏光フィルタ駆動部１１１のステッピングモータに与えたパルス数を読み取ることで、偏光フィルタ１１０が挿入位置と離脱位置のいずれに位置しているかを判定することができる。
【００３４】
あるいは判定部１２１は、ホールＩＣ１０４ｂの出力が挿脱駆動モータ１０４ａのロータの回転角度に応じて変動することを利用して、挿脱駆動機構１０４のホールＩＣ１０４ｂの出力を読み取ることで、偏光フィルタ１１０が挿入位置と離脱位置のいずれに位置しているかを判定することができる。
【００３５】
駆動制御部１２２は、判定部１２１の判定結果に基づいて、挿脱駆動機構１０４とＣＣＤ（動画撮像部）１０３を制御しながら動画撮影を実行させる。以下では、駆動制御部１２２の制御内容を、撮影モード設定部１３０によって「偏光フィルタ挿入禁止モード」が設定されている場合と「偏光フィルタ挿脱禁止モード」が設定されている場合とに場合分けして説明する。
【００３６】
「偏光フィルタ挿入禁止モード」が設定されている場合
駆動制御部１２２は、シャッターボタン１４０が押された時点において偏光フィルタ１１０が挿入位置に位置していると判定部１２１が判定したときは、挿脱駆動機構１０４を介して偏光フィルタ１１０を離脱位置に離脱駆動させる。一方、駆動制御部１２２は、シャッターボタン１４０が押された時点において偏光フィルタ１１０が離脱位置に位置していると判定部１２１が判定したときは、偏光フィルタ１１０をそのまま離脱位置に位置させる。そして駆動制御部１２２は、偏光フィルタ１１０を離脱位置に位置させたままで、ＣＣＤ１０３による動画撮像を開始させ、動画撮像の開始から終了に至るまで、挿脱駆動機構１０４による偏光フィルタ１１０の挿入駆動を禁止する（フィルタ挿脱スイッチ１５０の入力操作を無効にする）。つまり駆動制御部１２２は偏光フィルタ１１０を使用した動画撮影を禁止する。
【００３７】
「偏光フィルタ挿脱禁止モード」が設定されている場合
駆動制御部１２２は、シャッターボタン１４０が押された時点において偏光フィルタ１１０が挿入位置に位置していると判定部１２１が判定したときは、偏光フィルタ１１０をそのまま挿入位置に位置させる。一方、駆動制御部１２２は、シャッターボタン１４０が押された時点において偏光フィルタ１１０が離脱位置に位置していると判定部１２１が判定したときは、偏光フィルタ１１０をそのまま離脱位置に位置させる。そして駆動制御部１２２は、偏光フィルタ１１０を挿入位置又は離脱位置に位置させたままで、ＣＣＤ１０３による動画撮像を開始させ、動画撮像の開始から終了に至るまで、挿脱駆動機構１０４による偏光フィルタ１１０の挿脱駆動を禁止する（フィルタ挿脱スイッチ１５０の入力操作を無効にする）。つまり駆動制御部１２２は、判定部１２１が偏光フィルタ１１０が挿入位置と離脱位置のいずれに位置していると判定したかを問わず、挿脱駆動機構１０４による偏光フィルタ１１０の挿脱駆動を禁止して、ＣＣＤ１０３による動画撮像を実行する。
【００３８】
駆動制御部１２２は、動画撮像の開始から終了に至るまで偏光フィルタ１１０を挿入位置に位置させるときは、偏光フィルタ１１０の回転駆動を許容する態様（フィルタ回転スイッチ１６０の入力操作を有効にする態様）、あるいは偏光フィルタ１１０の回転駆動を禁止する態様（フィルタ回転スイッチ１６０の入力操作を無効にする態様）が可能である。前者の態様では、偏光フィルタ１１０の偏光効果を適宜取り入れながら動画撮影を行いたいというユーザの要望に応えることができる。後者の態様では、水平方向に振動する偏光成分をカットすることで、まるで偏光グラスをかけて見ているかのような動画像を得ることができる。この場合、偏光グラスの偏光効果に対応する偏光フィルタ１１０の回転角度（水平方向に振動する偏光成分をカットするような偏光フィルタ１１０の回転角度）を予め記憶しておき、動画撮影を開始する前に偏光フィルタ１１０を偏光グラスの偏光効果に対応する回転角度まで自動的に回転駆動制御する態様、あるいは動画撮影を開始する前にユーザがフィルタ回転スイッチ１６０を押すことで偏光フィルタ１１０を偏光グラスの偏光効果に対応する回転角度まで手動で回転駆動させる態様が考えられる。
【００３９】
続いて、図２、図３のフローチャートを参照して、本発明によるデジタルカメラ１００を用いた動画撮影方法の第１実施形態、第２実施形態について説明する。
【００４０】
［第１実施形態］
図２のフローチャートは、撮影モード設定部１３０によって「偏光フィルタ挿入禁止モード」が設定されている場合の動画撮影方法を示している。
【００４１】
まずＣＰＵ１２０は、ユーザによってシャッターボタン１４０が押されたか否かを判定する（ステップＳ１）。ＣＰＵ１２０は、シャッターボタン１４０が押されていないときは（ステップＳ１：ＮＯ）、ＣＣＤ１０３による動画撮像を行わない。
【００４２】
シャッターボタン１４０が押されたときは（ステップＳ１：ＹＥＳ）、シャッターボタン１４０からＣＰＵ１２０に、ＣＣＤ１０３による動画撮像を開始するための指示信号が入力する（ステップＳ２）。
【００４３】
するとＣＰＵ１２０の判定部１２１は、測光手段１７０が取得した被写体像の輝度信号あるいは挿脱駆動機構１０４のホールＩＣ１０４ｂの出力に基づいて、シャッターボタン１４０が押された時点において偏光フィルタ１１０が挿入位置と離脱位置のいずれに位置しているかを判定する（ステップＳ３）。
【００４４】
ＣＰＵ１２０の駆動制御部１２２は、シャッターボタン１４０が押された時点において偏光フィルタ１１０が挿入位置に位置していると判定部１２１が判定したときは、挿脱駆動機構１０４を介して偏光フィルタ１１０を離脱位置に離脱駆動させる（ステップＳ４）。一方、駆動制御部１２２は、シャッターボタン１４０が押された時点において偏光フィルタ１１０が離脱位置に位置していると判定部１２１が判定したときは、偏光フィルタ１１０をそのまま離脱位置に位置させる（ステップＳ５）。
【００４５】
そして駆動制御部１２２は、偏光フィルタ１１０を離脱位置に位置させたままで、挿脱駆動機構１０４による偏光フィルタ１１０の挿入駆動を禁止するとともに（ステップＳ６）、ＣＣＤ１０３による動画撮像を開始させる（ステップＳ７）。
【００４６】
ＣＰＵ１２０は、ＣＣＤ１０３による動画撮像中に、ユーザによってシャッターボタン１４０が押されたか否かを判定する（ステップＳ８）。ＣＰＵ１２０は、シャッターボタン１４０が押されない限り（ステップＳ８：ＮＯ）、ＣＣＤ１０３による動画撮像を続行する。
【００４７】
ＣＣＤ１０３による動画撮像中にシャッターボタン１４０が押されたときは（ステップＳ８：ＹＥＳ）、シャッターボタン１４０からＣＰＵ１２０に、ＣＣＤ１０３による動画撮像を終了するための指示信号が入力する（ステップＳ９）。
【００４８】
するとＣＰＵ１２０の駆動制御部１２２は、ＣＣＤ１０３による動画撮像を終了させた後に（ステップＳ１０）、挿脱駆動機構１０４による偏光フィルタ１１０の挿入駆動を許容する（ステップＳ１１）。
【００４９】
［第２実施形態］
図３のフローチャートは、撮影モード設定部１３０によって「偏光フィルタ挿脱禁止モード」が設定されている場合の動画撮影方法を示している。
【００５０】
まずＣＰＵ１２０は、ユーザによってシャッターボタン１４０が押されたか否かを判定する（ステップＳ２１）。ＣＰＵ１２０は、シャッターボタン１４０が押されていないときは（ステップＳ２１：ＮＯ）、ＣＣＤ１０３による動画撮像を行わない。
【００５１】
シャッターボタン１４０が押されたときは（ステップＳ２１：ＹＥＳ）、シャッターボタン１４０からＣＰＵ１２０に、ＣＣＤ１０３による動画撮像を開始するための指示信号が入力する（ステップＳ２２）。
【００５２】
するとＣＰＵ１２０の判定部１２１は、挿入検知センサ若しくは離脱検知センサの発光部と受光部の間にセンサ通過片（いずれも図示せず）が進入しているか否か、偏光フィルタ駆動部１１１のステッピングモータに与えたパルス数、又は挿脱駆動機構１０４のホールＩＣ１０４ｂの出力に基づいて、シャッターボタン１４０が押された時点において偏光フィルタ１１０が挿入位置と離脱位置のいずれに位置しているかを判定する（ステップＳ２３）。
【００５３】
ＣＰＵ１２０の駆動制御部１２２は、シャッターボタン１４０が押された時点において偏光フィルタ１１０が挿入位置に位置していると判定部１２１が判定したときは、偏光フィルタ１１０をそのまま挿入位置に位置させる（ステップＳ２４）。駆動制御部１２２は、シャッターボタン１４０が押された時点において偏光フィルタ１１０が離脱位置に位置していると判定部１２１が判定したときは、偏光フィルタ１１０をそのまま離脱位置に位置させる（ステップＳ２５）。
【００５４】
そして駆動制御部１２２は、偏光フィルタ１１０を挿入位置又は離脱位置に位置させたままで、挿脱駆動機構１０４による偏光フィルタ１１０の挿脱駆動を禁止するとともに（ステップＳ２６）、ＣＣＤ１０３による動画撮像を開始させる（ステップＳ２７）。
【００５５】
偏光フィルタ１１０を挿入位置に位置させた状態でＣＣＤ１０３による動画撮像を行う場合、駆動制御部１２２は、フィルタ駆動部１１１による偏光フィルタ１１０の回転駆動を許容してもよいし、フィルタ駆動部１１１による偏光フィルタ１１０の回転駆動を禁止してもよい。
【００５６】
ＣＰＵ１２０は、ＣＣＤ１０３による動画撮像中に、ユーザによってシャッターボタン１４０が押されたか否かを判定する（ステップＳ２８）。ＣＰＵ１２０は、シャッターボタン１４０が押されない限り（ステップＳ２８：ＮＯ）、ＣＣＤ１０３による動画撮像を続行する。
【００５７】
ＣＣＤ１０３による動画撮像中にシャッターボタン１４０が押されたときは（ステップＳ２８：ＹＥＳ）、シャッターボタン１４０からＣＰＵ１２０に、ＣＣＤ１０３による動画撮像を終了するための指示信号が入力する（ステップＳ２９）。
【００５８】
するとＣＰＵ１２０の駆動制御部１２２は、ＣＣＤ１０３による動画撮像を終了させた後に（ステップＳ３０）、挿脱駆動機構１０４による偏光フィルタ１１０の挿脱駆動を許容する（ステップＳ３１）。
【００５９】
このように本実施形態では、駆動制御部１２２が、判定部１２１が偏光フィルタ１１０が挿入位置に位置していると判定したときは、挿脱駆動機構１０４を介して偏光フィルタ１１０を離脱位置に離脱駆動させた後に、判定部１２１が偏光フィルタ１１０が離脱位置に位置していると判定したときは、偏光フィルタ１１０を離脱位置に位置させたまま、挿脱駆動機構１０４による偏光フィルタ１１０の挿入駆動を禁止して、ＣＣＤ１０３による動画撮像を実行する。あるいは駆動制御部１２２は、判定部１２１が偏光フィルタ１１０が挿入位置と離脱位置のいずれに位置していると判定したかを問わず、挿脱駆動機構１０４による偏光フィルタ１１０の挿脱駆動を禁止して、ＣＣＤ１０３による動画撮像を実行する。
【００６０】
これにより、動画撮影中にユーザの誤操作により偏光フィルタ１１０が挿脱駆動されることがなくなるので、ユーザが意図しない動画撮影を行って動画像が台無しになるのを防止することができる。また、動画撮影中に偏光フィルタ１１０を保持するフィルタ枠が撮影光束を遮ってケラレが発生することがない。また、動画撮影と同時に音声録音を行う場合であっても偏光フィルタ１１０の挿脱駆動音が録音されることがない。また、自動露出機能（ＡＥ機能）を用いて動画撮影を行う場合であっても、動画撮影中に最適な露出が変わることがないので、好適な自動露出を行うことができる。また、動画撮影中の過度な発熱や消費電力の増大を防ぐことができる。すなわち本実施形態によれば、ユーザの意図した動画撮影を行って高品質な動画像を得ることができ、動画撮影中の音声録音に余計な騒音が混じることがなく、動画撮影中の発熱と消費電力を低減することができる。
【００６１】
以上の実施形態では、本発明による動画撮影装置をデジタルカメラ１００に適用した場合を例示したが、本発明による動画撮影装置はビデオカメラ等の他の撮影装置に適用することができる。
【００６２】
以上の実施形態では、回転光学要素として偏光フィルタ１１０を用いた場合を例示して説明した。しかし、回転光学要素は、撮影光学系の光路上において回転することで異なる撮影効果を与えるものであればよく、偏光フィルタ以外に、例えば、クロスフィルタ、多面効果フィルタ、ＮＤフィルタ、ハーフＮＤフィルタなどを用いることも可能である。
【００６３】
以上の実施形態では、偏光フィルタ１１０として直線偏光フィルタを用いた場合を例示して説明したが、円偏光フィルタを用いることも可能である。円偏光フィルタは、その回転角度位置がθ°のときの偏光効果とその回転角度位置がθ＋９０°のときの偏光効果とが同一となる偏光特性を有している。
【００６４】
以上の実施形態では、デジタルカメラ１００の動画撮影モードを「偏光フィルタ挿入禁止モード」と「偏光フィルタ挿脱禁止モード」のいずれかに設定可能な場合を例示して説明したが、この２つのモードに加えて、「偏光フィルタ挿脱回転許容モード」を設定できるようにしてもよい。この「偏光フィルタ挿脱回転許容モード」は、本実施形態による動画撮影を実行しないモードであり、上述した特許文献１と同様に、動画撮影中に偏光フィルタの挿脱駆動と回転駆動を自由に行うことができる。
【００６５】
以上の実施形態では、シャッターボタン１４０が押されたときに動画撮影を実行する場合を例示して説明したが、動画撮影を実行するための契機はこれに限定されるものではない。例えば、シャッターボタン１４０とは別に専用の動画撮影ボタンを設けてこの動画撮影ボタンが押されたときに動画撮影を実行する態様、ユーザのカスタマイズによって各種の操作ボタンに動画撮影実行機能を割り当てる態様、ＬＣＤモニタ１０８を利用したタッチパネル方式のメニューから選択することで動画撮影を実行する態様が可能である。
【符号の説明】
【００６６】
１００  デジタルカメラ（動画撮影装置）
１００Ｂ  カメラボディ
１０１  固定レンズ（撮影光学系）
１０２  フォーカシングレンズ（撮影光学系）
１０２ａ  フォーカシングレンズ駆動部
１０３  ＣＣＤ（動画撮像部）
１０３ａ  撮像面
１０４  挿脱駆動機構
１０４ａ  挿脱駆動モータ（ステッピングモータ）
１０４ｂ  ホールＩＣ
１０５  Ａ／Ｄ変換器
１０６  信号処理回路
１０７  画像記録部
１０８  ＬＣＤモニタ
１１０  偏光フィルタ（回転光学要素）
１１１  偏光フィルタ駆動部
１２０  ＣＰＵ
１２１  判定部
１２２  駆動制御部
１３０  撮影モード設定部
１４０  シャッターボタン（入力部）
１５０  フィルタ挿脱スイッチ
１６０  フィルタ回転スイッチ
１７０  測光手段（輝度信号取得部）
【図１】
2014044344.tif 000003
【図２】
2014044344.tif 000004
【図３】
2014044344.tif 000005